(57)【要約】【課題】この発明は、簡易な構成で、電子放出素子からの電子の進路に影響を及ぼす磁気の侵入を効果的に防止し得るようにして、高品質な表示映像を実現することにある。【解決手段】平面型表示パネル１４の複数の電子放出素子４２がマトリクス状に平面配列されるガラス基板４２１の背面に対向して電磁シールド部材５３を配し、この電磁シールド部材５３によりガラス基板４２１の背面への磁気の侵入を阻止して平面型表示パネル１４における磁気の影響を防止するように構成した。【選択図】      図６
2007101654.tif 000002
【特許請求の範囲】
【請求項１】
ガラス基板上に複数の電子放出素子がマトリクス状に配列され、蛍光体がコーティングされたスクリーンに対して、前記複数の電子放出素子から電子を放出して前記蛍光体を発光させる平面型表示パネルと、
映像信号に基づいて前記複数の電子放出素子を駆動し、前記平面型表示パネルに映像を表示する駆動手段と、
前記平面型表示パネルおよび前記駆動手段が収容されるキャビネットと、
このキャビネット内部に設けられる磁気発生源と、
前記平面型表示パネルと前記磁気発生源との間に配置される電磁シールド部材と、
を具備することを特徴とする映像表示装置。
【請求項２】
前記電磁シールド部材は、前記平面型表示パネルが収容されるケースの一部を構成することを特徴とする請求項１に記載の映像表示装置。
【請求項３】
前記電磁シールド部材は、電磁シールド特性の異なる複数の材料で構成され、少なくとも前記平面型表示パネルと前記磁気発生源との間に設けられる材料の電磁シールド特性はそれ以外の部分に設けられる材料よりも電磁シールド特性が強いものが用いられることを特徴とする請求項１又は２に記載の映像表示装置。
【請求項４】
前記映像表示装置はさらに前記平面型表示パネルの後ろ側に映像表示装置を駆動するための回路基板が設けられ、前記電磁シールド部材は、この回路基板上に設けられることを特徴とする請求項１乃至３のいずれかに記載の映像表示装置。
【請求項５】
放送信号を受信する放送信号受信手段と、
前記受信された放送信号から映像信号を復元する処理手段と、
ガラス基板上に複数の電子放出素子がマトリクス状に配列され、蛍光体がコーティングされたスクリーンに対して、前記複数の電子放出素子から電子を放出して前記蛍光体を発光させる平面型表示パネルと、
前記復元された映像信号に基づいて前記複数の電子放出素子を駆動し、前記平面型表示パネルに映像を表示する駆動手段と、
前記平面型表示パネルおよび前記駆動手段が収容されるキャビネットと、
このキャビネット内部に設けられる磁気発生源と、
前記平面型表示パネルと前記磁気発生源との間に配置される電磁シールド部材と、
を具備することを特徴とする放送受信装置。
【発明の詳細な説明】
【技術分野】
【０００１】
この発明は、例えばＳＥＤ（surface-conduction electron-emitter display）等の平面型表示パネルを用いた映像表示装置及び放送受信装置に関する。
【背景技術】
【０００２】
周知のように、近年では、テレビジョン放送のデジタル化が推進されてきている。例えば、日本国内においては、ＢＳ（broadcasting satellite）デジタル放送及び１１０度ＣＳ（communication satellite）デジタル放送等の衛星デジタル放送だけでなく、地上デジタル放送も開始されている。
【０００３】
そして、このようなテレビジョン放送を受信するテレビジョン放送受信機においては、薄型で大画面のものが望まれる傾向にある。このため、現在では、２つの素子電極間に電圧を印加することにより電子ビームを放出する表面伝道型電子放出素子を使用した、ＳＥＤ等の平面型表示パネルが広く採用されてきている。
【０００４】
すなわち、この平面型表示パネルは、表面伝道型電子放出素子から放出された電子ビームを、ガラス基板に蛍光体をコーティングしたスクリーンに照射することにより蛍光物質を発光させることができ、そのときの輝度の強さを電子放出素子に印加する電圧の時間長で可変することができることを利用している。
【０００５】
具体的には、多数の電子放出素子をガラス基板上にマトリクス状に平面配列し、この配列体をスクリーンに対向させるように設置する。そして、個々の電子放出素子に、映像信号のサンプリング値に応じた時間長の電圧パルスを印加することによって、スクリーン上に映像を形成するようにしている。
【０００６】
ところで、このような平面型表示パネルは、そのスクリーンを除く部位がケースに収容され、このケースが、テレビジョン放送受信機を含む映像表示装置のキャビネット内に磁気を発生するスピーカやトランス等の磁気発生源と共に組みつけられる。しかしながら、上記平面型表示パネルにあっては、ガラス基板に搭載した電子放出素子に対して地磁気や磁気発生源からの磁気が作用すると、電子放出素子からの電子の進路が影響を受けるという問題をする。
【０００７】
そこで、テレビジョン放送受信機を含む映像表示装置では、磁気発生源を平面型表示パネルの電子放出素子からの進路に影響を及ぼさないように配置したりしなければならないために、その設計の自由度が劣るという問題を有する。特に、薄型化の促進を図る場合には、重大な課題の一つとなっている。
【０００８】
この映像表示装置における磁気シールド構造としては、電磁波を放射する表示装置本体を収納する筐体にシールド部材を備えて、放射した電磁波をシールドするように構成したものが提案されている（例えば、特許文献１参照。）。
【０００９】
また、デイスプレイ装置の筐体を形成するリアカバーの内面全体を強磁性体の磁気シールド板で覆い、磁気の外部への漏洩を低減するように構成したものが提案されている（例えば、特許文献２参照。）。
【００１０】
さらに、平面陰極線管のファンネル内部を遮蔽するメイン部と、引張マスクアセンブリを内装するフロイント部で形成される地磁界遮蔽構造を備えた平面陰極線管構成が提案されている（例えば、特許文献３参照。）。
【特許文献１】特開２００５−１５０１４９号公報
【特許文献２】特開平１１−３０５６７５号公報
【特許文献３】特開２００２−５０３０１号公報
【発明の開示】
【発明が解決しようとする課題】
【００１１】
しかしながら、上記特許文献１及び２の構成では、外部への電磁波の漏洩を防止するものであり、特許文献３の構成では、陰極線管のファンネル内部及び引張マスクアセンブリへの地磁気の侵入を防止するだけの構成である。
【００１２】
この発明は上記事情に鑑みてなされたもので、簡易な構成で、且つ、電子放出素子からの電子の進路に影響を及ぼす磁気の侵入を効果的に防止し得るようにして、高品質な表示映像を実現した映像表示装置及び放送受信装置を提供することを目的とする。
【課題を解決するための手段】
【００１３】
この発明は、ガラス基板上に複数の電子放出素子がマトリクス状に配列され、蛍光体がコーティングされたスクリーンに対して、前記複数の電子放出素子から電子を放出して前記蛍光体を発光させる平面型表示パネルと、映像信号に基づいて前記複数の電子放出素子を駆動し、前記平面型表示パネルに映像を表示する駆動手段と、前記平面型表示パネルおよび前記駆動手段が収容されるキャビネットと、このキャビネット内部に設けられる磁気発生源と、前記平面型表示パネルと前記磁気発生源との間に配置される電磁シールド部材とを備えて映像表示装置を構成した。
【００１４】
また、この発明は、放送信号を受信する放送信号受信手段と、前記受信された放送信号から映像信号を復元する処理手段と、ガラス基板上に複数の電子放出素子がマトリクス状に配列され、蛍光体がコーティングされたスクリーンに対して、前記複数の電子放出素子から電子を放出して前記蛍光体を発光させる平面型表示パネルと、前記復元された映像信号に基づいて前記複数の電子放出素子を駆動し、前記平面型表示パネルに映像を表示する駆動手段と、前記平面型表示パネルおよび前記駆動手段が収容されるキャビネットと、このキャビネット内部に設けられる磁気発生源と、前記平面型表示パネルと前記磁気発生源との間に配置される電磁シールド部材とを備えて放送受信装置を構成した。
【００１５】
上記構成によれば、平面型表示パネルの電子放出素子の搭載されたガラス基板は、電磁シールド部材を介して磁気発生源に対向され、この電磁シールド部材により磁気発生源からの磁気が遮蔽されることにより、磁気の影響を受けることなく、その電子放出素子から照射される電子の所望の進路が確保される。従って、磁気発生源からの磁気の影響を受けることなく、高品質な映像表示を実現することが可能となる。
【発明の効果】
【００１６】
以上述べたように、この発明によれば、簡易な構成で、且つ、電子放出素子からの電子の進路に影響を及ぼす磁気の侵入を効果的に防止し得るようにして、高品質な表示映像を実現した映像表示装置及び放送受信装置を提供することができる。
【発明を実施するための最良の形態】
【００１７】
以下、この発明の実施の形態について図面を参照して詳細に説明する。
【００１８】
図１は、この実施の形態で説明するテレビジョン放送受信機１１を正面側から見た状態を示すもので、このテレビジョン放送受信機１１は、主として、薄型のキャビネット１２と、このキャビネット１２を支持する支持台１３とから構成されている。
【００１９】
このうち、キャビネット１２には、その正面中央部にＳＥＤ等の平面型表示パネル１４が配置されている。また、このキャビネット１２には、その平面型表示パネル１４の両側に、磁気発生源であるスピーカ１５や、操作部１６及びワイヤレスのリモートコントローラ１７から送出された操作情報を受信するための受信部１８等が配置されている。
【００２０】
一方、上記支持台１３は、キャビネット１２の底面中央部に回動自在に連結されるもので、所定の基台１９の水平面上に載置された状態で、キャビネット１２を起立させて支持するように構成されている。
【００２１】
図２は、上記テレビジョン放送受信機１１の信号処理系を概略的に示している。この信号処理系を構成する各種の回路ブロックは、主として、上記キャビネット１２の内部で背面に近い位置、つまり、上記平面型表示パネル１４の裏側あたりに配置されている。
【００２２】
そして、デジタルテレビジョン放送受信用のアンテナ２０で受信したデジタルテレビジョン放送信号は、入力端子２１を介してチューナ部２２に供給される。このチューナ部２２は、入力されたデジタルテレビジョン放送信号から所望のチャンネルの信号を選局し復調している。そして、このチューナ部２２から出力された信号は、デコーダ部２３に供給されて、例えばＭＰＥＧ（moving picture experts group）２デコード処理が施された後、セレクタ２４に供給される。
【００２３】
さらに、アナログテレビジョン放送受信用のアンテナ２５で受信したアナログテレビジョン放送信号は、入力端子２６を介してチューナ部２７に供給される。このチューナ部２７は、入力されたアナログテレビジョン放送信号から所望のチャンネルの信号を選局し復調している。そして、このチューナ部２７から出力された信号は、Ａ／Ｄ（analog／digital）変換部２８によりデジタル化された後、上記セレクタ２４に出力される。
【００２４】
また、アナログ信号用の入力端子２９に供給されたアナログの映像及び音声信号は、Ａ／Ｄ変換部３０に供給されてデジタル化された後、上記セレクタ２４に出力される。さらに、デジタル信号用の入力端子３１に供給されたデジタルの映像及び音声信号は、そのまま上記セレクタ２４に供給される。
【００２５】
上記セレクタ２４は、４種類の入力デジタル映像及び音声信号から１つを選択して、信号処理部３２に供給している。この信号処理部３２は、入力されたデジタル映像信号に所定の信号処理を施した後、上記平面型表示パネル１４を含む映像表示部３３に出力している。この映像表示部３３では、入力された映像信号に基づいて平面型表示パネル１４を駆動し、映像表示を行なわせている。また、上記信号処理部３２は、入力されたデジタル音声信号に所定の信号処理を施し、アナログ化して上記スピーカ１５に出力することにより、音声再生を行なっている。
【００２６】
ここで、このテレビジョン放送受信機１１は、上記した各種の受信動作を含む種々の動作を制御部３４によって統括的に制御されている。この制御部３４は、ＣＰＵ（central processing unit）等を内蔵しており、上記操作部１６からの操作情報、または、上記リモートコントローラ１７から送信された操作情報を受信部１８を介して受けることにより、その操作内容が反映されるように各部をそれぞれ制御している。
【００２７】
この場合、制御部３４は、主として、そのＣＰＵが実行する制御プログラムを格納したＲＯＭ（read only memory）３５と、該ＣＰＵに作業エリアを提供するためのＲＡＭ（random access memory）３６と、各種の設定情報及び制御情報等が格納される不揮発性メモリ３７とを利用している。
【００２８】
図３は、上記映像表示部３３の詳細を示している。この映像表示部３３は、上記平面型表示パネル１４と電圧パルス印加部３８と走査部３９とを備えている。このうち、平面型表示パネル１４は、複数の水平ライン４０と、この複数の水平ライン４０に交差する複数の垂直ライン４１と、複数の水平ライン４０と複数の垂直ライン４１との各交差部で、それぞれ、走査電極が水平ライン４０に接続され信号電極が垂直ライン４１に接続された表面伝導型の複数の電子放出素子４２と、後述するスクリーンとから構成されている。
【００２９】
この電子放出素子４２は、その信号電極と走査電極との間に印加された電位がスレッショルドを越えると電子放電が起き、対向するスクリーンの蛍光体を励起して発光させることができる。この場合、赤、緑、青の蛍光体を交互に配することで、カラー表示が可能となる。
【００３０】
また、上記電圧パルス印加部３８は、上記信号処理部３２から供給されるＲＢＧ映像信号の１水平走査期間分を、クロックＣＫ１によりサンプリングしてラインメモリ４３に保持する。このラインメモリ４３に保持された映像信号１ライン分のサンプリング値は、次の水平走査期間に後述するパルス幅変調信号を出力する動作を行なうため、ラッチパルスＤＬのタイミングに合わせてラインメモリ４４にラッチされ、各映像サンプリング値毎に用意されたコンパレータ４５１，４５２，４５３，……，４５ｎの一方の入力端に供給される。
【００３１】
一方、上記電圧パルス印加部３８には、１０ビットのカウンタ４６が備えられている。このカウンタ４６は、クロックＣＫ２をカウントアップし、リセット信号Ｒで初期化されることにより、水平走査期間毎に０から１０２３までの１０ビットの値を循環的に計数する。そして、このカウンタ４６の計数値は、各コンパレータ４５１，４５２，４５３，……，４５ｎの他方の入力端に供給される。
【００３２】
これらのコンパレータ４５１〜４５ｎは、それぞれ、ラインメモリ４４からの映像サンプリング値と、カウンタ４６の計数値とを比較し、カウンタ４６の計数値が映像サンプリング値より小さい場合にＨ（high）レベルを出力し、カウンタ４６の計数値が映像サンプリング値を越えた場合にＬ（low）レベルを出力する。
【００３３】
そして、各コンパレータ４５１〜４５ｎの出力は、それぞれ出力バッファ増幅器４７１〜４７nに供給される。これらの出力バッファ増幅器４７１〜４７nは、対応するコンパレータ４５１〜４５ｎの出力がＨレベルの場合に、基準電圧Ｖrefを出力する。
【００３４】
これにより、詳細は後述するが、各出力バッファ増幅器４７１〜４７nからは、電圧レベルが基準電圧Ｖrefで、映像サンプリング値に対応したパルス幅を有するパルス幅変調信号が出力され、上記した平面型表示パネル１４の各垂直ライン４１に供給されることになる。
【００３５】
一方、上記走査部３９は、シフトレジスタ４９を有している。このシフトレジスタ４９は、平面型表示パネル１４の各水平ライン４０に対応する複数の出力端を備えている。そして、水平同期パルスＨＰが入力される毎に、その複数の出力端からＨレベルが順次シフトされて出力される。また、このシフトレジスタ４９は、垂直同期パルスＶＰでリセットされる。
【００３６】
そして、このシフトレジスタ４９の各出力は、それぞれバッファ増幅器５０１〜５０ｍに供給される。これらのバッファ増幅器５０１〜５０ｍは、シフトレジスタ４９の出力がＨレベルのときに一定の負電位Ｖyonを出力する。そして、各バッファ増幅器５０１〜５０ｍの出力が、平面型表示パネル１４の各水平ライン４０に供給されることになる。
【００３７】
図４は、表面伝導型電子放出素子４２の１つを拡大して示している。すなわち、ガラス基板４２１上に走査電極４２２と信号電極４２３とを形成し、各走査電極４２２と信号電極４２３とを、導電性薄膜４２４を介して、通電フォーミング処理により形成された電子放出部４２５に接続している。なお、符号４２６は通電活性化処理により形成した薄膜である。
【００３８】
このようにガラス基板４２１上に複数の電子放出素子４２が配列して形成される。そして、この複数の電子放出素子４２の配列面に面対向するように、所定間隔を置いて加速電圧印加用のスクリーン５１が配置されている。このスクリーン５１は、ガラス基板５１１上にＲＧＢに対応する蛍光体５１２を介してメタルバック５１３を設けたものである。
【００３９】
そして、上記走査電極４２２と信号電極４２３との間に電圧Ｅ１が印加されると、電子放出部４２５から電子が放出される。この放出された電子は、スクリーン５１のメタルバック５１３と走査電極４２２との間に介在された電源５２によって発生される高レベルの加速電圧Ｅ２によってスクリーン５１側に引き付けられ、蛍光体５１２に衝突して発光させる。
【００４０】
この場合、上記電源５２は、上記制御部３４から出力される電圧制御信号に基づいて、発生する加速電圧Ｅ２のレベルが可変されるようになっている。そして、制御部３４は、ユーザが平面型表示パネル１４における表示映像の明るさを設定する操作を行なうことにより、その設定された明るさに対応した電圧制御信号を出力している。すなわち、ユーザが設定した表示映像の明るさに応じて、加速電圧Ｅ２が可変されるようになっている。
【００４１】
図５（ａ）〜（ｉ）は、上記電圧パルス印加部３８におけるパルス幅変調動作を示している。ここでは、１水平走査期間分のパルス幅変調動作について説明する。図５（ａ）は水平同期信号ＨＤを示している。図５（ｂ）は、上記カウンタ４６に与えるクロックＣＫ２を示している。図５（ｃ）は、カウンタ４６の計数値を、縦軸を１０進数値として三角波状に表記して示したものである。
【００４２】
図５（ｄ）〜（ｈ）に示す波形ａ〜ａ＋４は、ラインメモリ４４から出力された映像サンプリング値がａの場合、ａ＋１の場合、……、ａ＋４の場合に、上記出力バッファ増幅器４７１〜４７nから得られるパルス幅変調信号をそれぞれ示している。図５（ｉ）は、図３における水平ライン４０のｉ本目の電位を示している。シフトレジスタ４９が水平同期パルスＨＰに合わせて上から順に１本ずつ選択的にオンし、振幅Ｖyonの負のパルスを１水平走査期間出力している。
【００４３】
図５（ｄ）に示すように、カウンタ４６の計数値が映像サンプリング値ａより小さい場合は、コンパレータ４５１〜４５ｎがＨレベルを出力し、出力バッファ増幅器４７１〜４７ｎが基準電圧Ｖrefの振幅の信号を出力する。カウンタ４６の計数値が映像サンプリング値ａを越えると、コンパレータ４５１〜４５ｎの出力がＬレベルになり、出力バッファ増幅器４７１〜４７ｎの出力がグランドレベルに落ちる。これにより、映像サンプリング値ａに応じたパルス幅の変調信号が得られる。
【００４４】
同様に、ラインメモリ４４から出力される映像サンプリング値がａ＋１の場合は、さらにクロックＣＫ２の１周期分長いパルス幅の変調信号が得られ、ラインメモリ４４から出力される映像サンプリング値がａ＋２、ａ＋３、ａ＋４、……では、その値に応じてパルス幅が決定される。
【００４５】
これにより、出力バッファ増幅器４７１〜４７ｎからは、ラインメモリ４４に保持された映像信号のサンプリング値に比例したパルス幅（階調表現に対応するパルス幅）のパルス幅変調信号が得られる。そして、出力バッファ増幅器４７１〜４７ｎから出力されたパルス幅変調信号は、垂直ライン４１に供給される。
【００４６】
このようにして、１水平走査期間分のパルス幅変調信号が垂直ライン４１に供給されている期間に、所定の選択された水平ライン４０に負の電圧Ｖyonが印加されると、その水平ライン４０に接続された各電子放出素子４２にＶref＋Ｖyonの電圧レベルが加わる。
【００４７】
このため、各電子放出素子４２は、パルス幅変調信号に応じた時間電子を放出し、蛍光体５１２がその時間に対応した輝度で発光することになる。これにより、１水平走査分の映像が表示される。
【００４８】
ここで、この実施の形態では、上記したように、ユーザが設定した表示映像の明るさに応じて、スクリーン５１のメタルバック５１３と走査電極４２２との間に介在された電源５２によって発生される加速電圧Ｅ２を可変することにより、平面型表示パネル１４における表示映像の明るさを可変するようにしている。この場合、表示映像の明るさは、加速電圧Ｅ２が低くなるほど、スクリーン５１に電子が引き付けられなくなるので、暗くなるように制御される。
【００４９】
図６は、図１のＡ−Ａ断面であり、上記平面型表示パネル１４の電磁シールド構成を示している。即ち、平面型表示パネル１４は、スクリーン５１のガラス基板５１１に対して電子放出素子４２の搭載されたガラス基板４２１が連結部材１４１を介して所定の間隔に対向配置される。この平面型表示パネル１４は、そのガラス基板４２１が上記キャビネット１２に内装される磁気発生源となるスピーカ１５のトランス５４等が搭載される回路基板５５に対設されて収容される。そして、この平面型表示パネル１４と上記回路基板５５との間には、電磁シールド部材５３が配置される。この電磁シールド部材５３は、電磁シールド特性の強い、例えばケイ素鋼板で形成され、上記回路基板５５に搭載される磁気発生源である、例えばトランス５４や上述した信号処理部３２や制御部３４等からの磁気が平面型表示パネル１４のガラス基板４２１に入射するのを遮蔽する。
【００５０】
なお、上記回路基板５５には、上記トランス５４の他、上述したテレビジョン放送受信機１１の信号処理系が搭載されるものであるが、図６中では、図の都合上、図示せず。
【００５１】
上記構成により、平面型表示パネル１４は、上記キャビネット１２内に収容した状態で、電磁シールド部材５３により、その電子放出素子４２の搭載されたガラス基板４２１の背面への上記トランス５４からの磁気が遮蔽される。これにより、平面型表示パネル１４は、外部からの磁気の侵入により、ガラス基板４２１上の電子放出素子４２から放出される電子の進路が阻害されることが防止され、そのスクリーン５１には、安定した高品質な画像が表示される。
【００５２】
このように、上記テレビジョン放送受信機１１は、平面型表示パネル１４の複数の電子放出素子４２がマトリクス状に平面配列されるガラス基板４２１の背面に対向して電磁シールド部材５３を配し、この電磁シールド部材５３によりガラス基板４２１の背面への磁気の侵入を阻止して平面型表示パネル１４における磁気の影響を防止するように構成した。
【００５３】
これによれば、電子放出素子４２の搭載されたガラス基板４２１は、その電磁シールド部材５３によりその背面から磁気の侵入が阻止されることにより、磁気の影響を受けなくなり、その電子放出素子４２からの電子の所望の進路が確保される。この結果、高品質な映像表示を実現したうえで、テレビジョン放送受信機１１における配置構成の自由度が高められると共に、薄型化の促進を図ることが可能となる。
【００５４】
また、この発明は、上記実施の形態に限ることなく、その他、例えば図７及び図８に示すように電磁シールド部材５３ａ、５３ｂを構成することも可能である。この図７及び図８は、図１のＢ−Ｂ断面を示し、上記実施の形態と同様の効果に加えて、ガラス基板４２１の保護の促進を図ることが可能となる。但し、これら図７及び図８においては、上記図６と同一部分について同一符号を付して、その詳細な説明を省略する。
【００５５】
図７の電磁シールド部材５３ａは、電磁シールド特性の強い、例えばケイ素鋼板でケース状に形成して、上記ガラス基板４２１の背面及び平面型表示パネル１４に並設配置される左右一対のスピーカ１５に対向する周囲全体を磁気シールドするように構成したものである。
【００５６】
図８の電磁シールド部材５３ｂは、平面型表示パネル１４の一方にのみスピーカ１５が配置されるタイプの場合、上記ガラス基板４２１の背面に対向する部位及び一個のスピーカ１５に対向する側壁にのみ電磁シールド特性の強い、例えばケイ素鋼板等の第１の材料５３１を用いて、その他の部位をアルミニウム等の軽量な第２の材料５３２を用いてケース状に形成したもので、図７に比して軽量化を図ることが可能となる。
【００５７】
なお、電磁シールド部材５３ｂとしては、その他、少なくともキャビネット１２に内装される磁気発生源に対応して選択的に第１の材料５３１を用いてケース状に形成することで、上記スピーカ１５及びトランス５４の他の磁気発生源からの磁気の侵入を阻止することが可能である。
【００５８】
さらに、上記実施の形態では、平面型表示パネル１４としてＳＥＤを例にして説明したが、これに限ることなく、その他、例えばプラズマディスプレイに適用することも可能で、同様の効果が期待される。
【００５９】
なお、この発明は上記した実施の形態そのままに限定されるものではなく、実施段階ではその要旨を逸脱しない範囲で構成要素を種々変形して具体化することができる。また、上記した実施の形態に開示されている複数の構成要素を適宜に組み合わせることにより、種々の発明を形成することができる。
【００６０】
例えば、実施の形態に示される全構成要素から幾つかの構成要素を削除しても良いものである。さらに、その他、異なる実施の形態に係る構成要素を適宜組み合わせて構成しても良い。
【図面の簡単な説明】
【００６１】
【図１】この発明の一実施の形態の適用されるテレビジョン放送受信機の外観を説明するために示した平面図である。
【図２】図１におけるテレビジョン放送受信機の信号処理系を説明するために示すブロック構成図である。
【図３】図１におけるテレビジョン放送受信機の映像表示部の詳細を説明するために示すブロック構成図である。
【図４】図３の映像表示部に使用された電子放出素子の詳細を説明するために示す側断面図である。
【図５】図３における映像表示部の電圧パルス印加部の動作を説明するために示すタイミング図である。
【図６】図１のＡ―Ａを断面した平面型表示パネルの磁気シールド構成を示す断面図である。
【図７】図１の平面型表示パネルの磁気シールド構成の他の例を示した断面図である。
【図８】図１の平面型表示パネルの磁気シールド構成の他の例を示した断面図である。
【符号の説明】
【００６２】
１１…テレビジョン放送受信機、１２…キャビネット、１３…支持台、１４…平面型表示パネル、１４１…連結部材、１５…スピーカ、１６…操作部、１７…リモートコントローラ、１８…受信部、１９…基台、２０…アンテナ、２１…入力端子、２２…チューナ部、２３…デコーダ部、２４…セレクタ、２５…アンテナ、２６…入力端子、２７…チューナ部、２８…Ａ／Ｄ変換部、２９…入力端子、３０…Ａ／Ｄ変換部、３１…入力端子、３２…信号処理部、３３…映像表示部、３４…制御部、３５…ＲＯＭ、３６…ＲＡＭ、３７…不揮発性メモリ、３８…電圧パルス印加部、３９…走査部、４０…水平ライン、４１…垂直ライン、４２…電子放出素子、４２１…ガラス基板、４３，４４…ラインメモリ、４５１〜４５ｎ…コンパレータ、４６…カウンタ、４７１〜４７ｎ…出力バッファ増幅器、４９…シフトレジスタ、５０１〜５０ｍ…バッファ増幅器、５１…スクリーン、５１１…ガラス基板、５１２…蛍光体、５２…電源、５３，５３ａ，５３ｂ…電磁シールド部材、５３１…第１の材料、５３２…第２の材料、５４…トランス、５５…回路基板。
【図１】
2007101654.tif 000003
【図２】
2007101654.tif 000004
【図３】
2007101654.tif 000005
【図４】
2007101654.tif 000006
【図５】
2007101654.tif 000007
【図６】
2007101654.tif 000008
【図７】
2007101654.tif 000009
【図８】
2007101654.tif 000010